【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
遠隔ワイヤレスノードからチャネル品質インジケータ（ＣＱＩ）またはプリコーディングマトリックスインジケータ（ＰＭＩ）を受信することと、ここにおいて、前記ＣＱＩまたは前記ＰＭＩは、ＵＥにおいて観察される制御用パイロットの測定値を具備する、
前記受信されたＣＱＩまたはＰＭＩに少なくとも部分的に基づいて変調・符号化スキーム（ＭＣＳ）を推定することと、
下りリンク（ＤＬ）送信のために前記基地局によってスケジュールされた制御またはデータシグナリング情報を、前記基地局に関連する前記遠隔ワイヤレスノードに送信することと、
前記基地局から前記ユーザ設備（ＵＥ）への前記ＤＬ送信をシングルＤＬキャリア上で送信することと、ここにおいて、前記ＤＬ送信は、前記遠隔ワイヤレスノードによる前記ＵＥへの前記制御またはデータシグナリング情報の送信と同時であり、前記基地局から前記ＵＥへの前記ＤＬ送信は、前記遠隔ワイヤレスノードから前記ＵＥへの前記制御またはデータシグナリング情報の前記送信と同じ直交周波数分割多重（ＯＦＤＭ）シンボルセット上であり、前記制御またはデータシグナリング情報は、前記推定されたＭＣＳを具備する、
を具備する方法。
【請求項２】
前記制御または前記データシグナリング情報を送信することは、有線のまたはワイヤレスバックホールネットワークを介して前記制御または前記データシグナリング情報を送信することをさらに含む、請求項１の方法。
【請求項３】
ＵＥセットに共通基準信号（ＣＲＳ）を送信することをさらに含み、前記ＵＥセットは、前記ＤＬ送信および前記制御またはデータシグナリング情報を復号するために前記ＣＲＳを用いる、請求項１の方法。
【請求項４】
前記遠隔ワイヤレスノードまたは前記基地局のうちのいずれか一方からの優先ＤＬ信号を観察する前記ＵＥセット中の少なくとも１つのＵＥを識別することをさらに具備する請求項３の方法。
【請求項５】
前記遠隔ワイヤレスノードまたは前記基地局をもっぱら経由して前記ＵＥセット中の前記少なくとも１つのＵＥに対して送信をするために制御またはデータシグナリング情報の第２のセットをスケジュールすることをさらに含む請求項４の方法。
【請求項６】
前記ＵＥセット中の前記少なくとも１つのＵＥから、前記基地局および前記遠隔ワイヤレスノードのそれぞれのＤＬ信号測定値を受信することによって前記優先ＤＬ信号を識別することと、信号強度、信号品質または信号経路損失に基づいて前記それぞれのＤＬ信号測定値を優先閾値と比較することとをさらに含む請求項４の方法。
【請求項７】
前記ＵＥからの上りリンク（ＵＬ）信号を測定することと、
前記遠隔ワイヤレスノードから前記ＵＬ信号の同等の測定値を受信することと、
前記ネットワーク基地局における前記ＵＬ信号の測定値および前記同等の測定値を閾値と比較することによって前記ＵＥのための優先ワイヤレスノードを識別することと、
もっぱら前記優先ワイヤレスノードへのまたは当該優先ワイヤレスノードからの、前記ＵＥのための制御またはデータシグナリング情報の第２のセットをスケジュールすることと
をさらに含む請求項１の方法。
【請求項８】
前記ＤＬ送信のために制御またはデータシグナリング情報を送信することは、肯定応答（ＡＣＫ）または否定応答（ＮＡＣＫ）情報、チャネル品質インジケータ（ＣＱＩ）情報、リクエストメッセージ、下りリンクのデータトラヒック、上りリンクのデータトラヒック、またはこれらのものの組合せをさらに具備する、請求項１の方法。
【請求項９】
前記制御またはシグナリング情報の部分またはＵＥセットと関わりのある割り当てられたリソースのサブセットを前記遠隔ワイヤレスノードに配分する分配ポリシーを参照することと、
前記制御またはシグナリング情報の前記部分または前記割り当てられたリソースのサブセットを識別することと
をさらに具備し、
前記ＤＬ送信のための制御またはデータシグナリング情報を前記遠隔ワイヤレスノードに送信することは、前記制御またはシグナリング情報の前記部分のみを送信すること、または前記分配ポリシーによって前記遠隔ワイヤレスノードに配分される前記割り当てられたリソースのサブセットを指定することを具備する、請求項１の方法。
【請求項１０】
前記分配ポリシーは、ＵＥスケジューリング、ＵＬ信号強度測定値、またはＤＬ信号強度測定値、またはこれらのものの組合せに少なくとも部分的に基づいて、前記制御またはシグナリング情報の前記部分または前記割り当てられたリソースのサブセットを前記遠隔ワイヤレスノードに配分する、請求項９の方法。
【請求項１１】
前記制御またはシグナリング情報を復号するために変調シンボルセットを前記遠隔ワイヤレスノードに送信することをさらに具備し、前記遠隔ワイヤレスノードは、前記ＤＬ送信と同時に前記制御またはシグナリング情報を送信する前に前記制御またはシグナリング情報の少なくとも一部を復調するために基準信号として前記変調シンボルセットを用いる、請求項１の方法。
【請求項１２】
ワイヤレス通信のために構成された装置であって、
基地局と通信するように、ならびにユーザ設備（ＵＥ）とのワイヤレス通信のために構成された通信インターフェースと、
前記装置と前記基地局のワイヤレス通信を調整するための命令を格納するように構成されたメモリと、
前記命令を実行するように構成されたデータプロセッサと
を具備し、前記命令は、
前記ＵＥと関わりのある少なくとも１つのトラヒックサブセットと、前記基地局からの前記トラヒックサブセットの受信、または前記ＵＥへの前記トラヒックサブセットの送信のための信号時間周期とを取得する命令と、
シングルキャリア周波数上で前記トラヒックサブセットを前記ＵＥに送信、または前記ＵＥから受信する命令と、前記送信は、前記基地局による前記ＵＥへの送信と同時であり、前記受信は、前記基地局による前記ＵＥからの前記トラヒックの受信と同時であり、前記基地局から前記ＵＥへの前記送信は、前記通信モジュールから前記ＵＥへの前記送信と同じ直交周波数分割多重（ＯＦＤＭ）シンボルセット上である、
前記装置によってサービスされている前記ＵＥからチャネル品質インジケータ（ＣＱＩ）またはプリコーディングマトリックスインジケータ（ＰＭＩ）を取得する命令と、ここにおいて、前記ＣＱＩまたは前記ＰＭＩは、基地局によって送信され、前記ＵＥにおいて観察される制御用パイロットの測定値を具備する、
リレーパイロット信号を送信するための変調・符号化スキーム（ＭＣＳ）の推定を支援するために、前記ＣＱＩまたは前記ＰＭＩを前記基地局に転送するための命令と、
前記基地局から前記ＭＣＳを受信する命令と、
前記ＭＣＳにしたがって前記リレーパイロット信号を送信する命令と、
前記ＵＥにおいて観察されるような前記制御用パイロットおよび前記リレーパイロット信号の同時送信の測定値を具備する第２のＣＱＩまたは第２のＰＭＩを受信する命令と、
を具備する、装置。
【請求項１３】
前記基地局との前記通信は、有線バックホールリンクを介する、請求項１２の装置。
【請求項１４】
前記基地局との前記通信は、ワイヤレスバックホールリンクを介する、請求項１２の装置。
【請求項１５】
少なくとも前記トラヒックサブセットを復調するために共通基準信号（ＣＲＳ）を生成するように構成された符号化モジュールをさらに具備する請求項１２の装置。
【請求項１６】
前記通信モジュールは、前記ＣＲＳを前記ＵＥに送信するようにさらに構成される、請求項１５の装置。
【請求項１７】
前記通信モジュールは、前記ＣＲＳを送信するために前記基地局によって用いられるＯＦＤＭシンボルセット上で前記ＣＲＳを送信し、前記ＣＳＲは、前記基地局および前記装置による前記ＣＲＳと少なくとも前記トラヒックサブセットとの共同送信を支援するために、前記ＯＦＤＭセット上で送信される、請求項１６の装置。
【請求項１８】
前記符号化モジュールは、前記装置によって少なくとも前記トラヒックサブセットを復調するために用いられることができる変調シンボルセットを前記基地局から受信するようにさらに構成され、前記変調シンボルセットは、予め決められている時間周波数シンボルと、前記ＣＲＳの代理として用いられることができる予め決められているそのシンボルの値とを具備する、請求項１５の装置。
【請求項１９】
前記協力モジュールは、前記基地局から、前記ＵＥに関わりのあるトラヒックのフルセットを取得するようにさらに構成され、前記装置は、
前記装置を管理するインクリメンタル冗長性ポリシーを参照し、
前記インクリメンタル冗長性ポリシーに基づいて前記トラヒックのフルセットの残りから前記トラヒックサブセットを識別および区別し、
前記信号時間周期において前記基地局と同時の送信または受信のために前記通信モジュールに前記トラヒックサブセットを提供する
ように構成された優先モジュールをさらに備える、請求項１２の装置。
【請求項２０】
前記ＵＥが前記装置または前記基地局のうちのいずれか一方の優先レンジの範囲内にあるかどうかを推定するために、前記ＵＥと関わりのあるＵＬまたはＤＬ信号測定値を使用し、
前記ＵＥの推定されたレンジがもはや前記優先レンジの範囲内にないということになるまで、後続のトラヒックの少なくとも一部を前記装置または前記基地局のうちのいずか一方にもっぱら配分する、ように構成された優先モジュールをさらに備える、請求項１２の装置。
【請求項２１】
前記推定されたレンジは、前記ＵＬまたはＤＬ信号測定値に少なくとも部分的に基づいて閾値信号特性から算出されるものであり、さらに、前記閾値信号特性は、閾値信号品質、閾値信号強度、または閾値信号経路損失特性、またはこれらのものの組合せを具備する、請求項２０の装置。
【請求項２２】
前記装置は、
リレーノード、
ピコセル、
中継器ノード、
情報処理能力付き中継器ノード、
リモートラジオヘッド、もしくは
透過型ノード、またはこれらのものの組合せ、
の１つまたは複数を具備する、請求項１２の装置。
【請求項２３】
ワイヤレス通信のために構成された装置であって、
遠隔ワイヤレスノードからチャネル品質インジケータ（ＣＱＩ）またはプリコーディングマトリックスインジケータ（ＰＭＩ）を受信する手段と、ここにおいて、前記ＣＱＩまたは前記ＰＭＩは、ＵＥにおいて観察される制御用パイロットの測定値を具備する、
前記受信されたＣＱＩまたはＰＭＩに少なくとも部分的に基づいて変調・符号化スキーム（ＭＣＳ）を推定する手段と、
バックホールネットワーク上において、ネットワーク基地局による遠隔ワイヤレスノードへの下りリンク（ＤＬ）送信のためにスケジュールされた制御またはデータシグナリング情報を送信する手段と、
シングルＤＬキャリア上で、前記基地局から前記ＵＥに前記ＤＬ送信を送信する手段と、ここにおいて、前記ＤＬ送信は、前記遠隔ワイヤレスノードによる前記ＵＥへの前記制御またはデータシグナリング情報の送信と同時であり、前記基地局から前記ＵＥへの前記ＤＬ送信は、前記遠隔ワイヤレスノードから前記ＵＥへの前記制御またはデータシグナリング情報の前記送信と同じ直交周波数分割多重（ＯＦＤＭ）シンボルセット上であり、前記制御またはデータシグナリング情報は、前記推定されたＭＣＳを具備する、
を具備する装置。
【請求項２４】
ワイヤレス通信のための装置であって、
メモリと、
遠隔ワイヤレスノードからチャネル品質インジケータ（ＣＱＩ）またはプリコーディングマトリックスインジケータ（ＰＭＩ）を受信し、ここにおいて、前記ＣＱＩまたは前記ＰＭＩは、ＵＥにおいて観察される制御用パイロットの測定値を具備する、
前記受信されたＣＱＩまたはＰＭＩに少なくとも部分的に基づいて変調・符号化スキーム（ＭＣＳ）を推定し、
バックホールネットワーク上において、ネットワーク基地局による遠隔ワイヤレスノードへの下りリンク（ＤＬ）送信のためにスケジュールされた制御またはデータシグナリング情報を送信し、
シングルＤＬキャリア上で前記基地局から前記ＵＥへのＤＬ送信を送信する、ここにおいて前記ＤＬ送信は、前記遠隔ワイヤレスノードによる前記ＵＥへの前記制御またはデータシグナリング情報の送信と同時であり、前記基地局から前記ＵＥへの前記ＤＬ送信は、前記遠隔ワイヤレスノードから前記ＵＥへの前記制御またはデータシグナリング情報の前記送信と同じ直交周波数分割多重（ＯＦＤＭ）シンボルセット上であり、前記制御またはデータシグナリング情報は、前記推定されたＭＣＳを具備する、
ように構成された少なくとも１つのプロセッサと、
を具備する装置。
【請求項２５】
遠隔ワイヤレスノードからチャネル品質インジケータ（ＣＱＩ）またはプリコーディングマトリックスインジケータ（ＰＭＩ）を受信するコードと、ここにおいて、前記ＣＱＩまたは前記ＰＭＩは、ＵＥにおいて観察される制御用パイロットの測定値を具備する、
前記受信されたＣＱＩまたはＰＭＩに少なくとも部分的に基づいて変調・符号化スキーム（ＭＣＳ）を推定するコードと、
バックホールネットワーク上において、ネットワーク基地局による遠隔ワイヤレスノードへの下りリンク（ＤＬ）送信のためにスケジュールされた制御またはデータシグナリング情報を送信するコードと、
シングルＤＬキャリア上で前記ネットワーク基地局においてユーザ設備（ＵＥ）への前記ＤＬ送信を送信するコードと、ここにおいて、前記ＤＬ送信は、前記遠隔ワイヤレスノードによる前記ＵＥへの前記制御またはデータシグナリング情報の送信と同時であり、前記基地局から前記ＵＥへの前記ＤＬ送信は、前記遠隔ワイヤレスノードから前記ＵＥへの前記制御またはデータシグナリング情報の前記送信と同じ直交周波数分割多重（ＯＦＤＭ）シンボルセット上であり、前記制御またはデータシグナリング情報は、前記推定されたＭＣＳを具備する、
を具備する非一時的なコンピュータ可読媒体、
を具備するコンピュータプログラムプロダクト。